(57)【要約】【課題】  ショッピングカート、ベビーカー等の運搬補助機器にＩＣタグを取り付け、その情報を利用して運搬補助機器がかご内を占有する割合を計算することにより、サービス効率の向上と利用者の不便さを解消したエレベータの制御装置を得る。【解決手段】  運搬補助機器毎に取り付けられるＩＣタグと、エレベータかご内に設けられ、かご内に乗り込む際に運搬補助機器に取り付けられたＩＣタグの情報を検出するＩＣタグ検出部１と、ＩＣタグ検出部からのＩＣタグ情報により、かご内における運搬補助機器の占有率を計算し、ＩＣタグの割り当てられた占有率の上限を超えた時に乗場呼びをキャンセルするエレベータ制御部４とを備える。【選択図】    図１
2006199464.tif 000002
【特許請求の範囲】
【請求項１】
運搬補助機器毎に取り付けられるＩＣタグと、
エレベータかご内に設けられ、かご内に乗り込む際に前記運搬補助機器に取り付けられたＩＣタグの情報を検出するＩＣタグ検出部と、
前記ＩＣタグ検出部からのＩＣタグ情報により、かご内における前記運搬補助機器の占有率を計算し、ＩＣタグの割り当てられた占有率の上限を超えた時に乗場呼びをキャンセルするエレベータ制御部と、
を備えたことを特徴とするエレベータの制御装置。
【請求項２】
運搬補助機器毎に取り付けられるＩＣタグと、
エレベータかご内に設けられ、かご内に乗り込む際に前記運搬補助機器に取り付けられたＩＣタグの情報を検出するＩＣタグ検出部と、
ＩＣタグ毎の占有率情報を記録保存する記録保存部と、
前記ＩＣタグ検出部からのＩＣタグ情報により、前記記録保存部のＩＣタグ毎の情報を取得してかご内における前記運搬補助機器の占有率を計算する計算部と、
前記計算部の計算結果がＩＣタグの割り当てられた占有率の上限を超えた時に乗場呼びをキャンセルするエレベータ制御部と、
を備えたことを特徴とするエレベータの制御装置。
【請求項３】
運搬補助機器毎に取り付けられるＩＣタグと、
エレベータかご内に設けられ、かご内に乗り込む際に前記運搬補助機器に取り付けられたＩＣタグの情報を検出するＩＣタグ検出部と、
前記ＩＣタグ検出部からのＩＣタグ情報により、前記運搬補助機器の乗車・降車情報を保存する記録保存部と、
前記記録保存部の前記運搬補助機器の乗車・降車情報により、特定階の運搬補助機器乗り捨て数が予め決められた階床別の運搬補助機器乗り捨て数の上限を超えた時に通信回線により管理センターに通報する通信部と、
を備えたことを特徴とするエレベータの制御装置。
【請求項４】
各階毎の運搬補助機器の乗り降り数、乗り降り時間を計測し、この計測情報をコンサルタントサービスに利用することを特徴とする請求項３記載のエレベータの制御装置。
【発明の詳細な説明】
【技術分野】
【０００１】
この発明は、ショッピングカート、ベビーカー、買い物かご等の店舗備え付けの運搬補助機器が乗客と一緒に乗降利用されるエレベータの制御装置に関するものである。
【背景技術】
【０００２】
ショッピングセンターやデパート等に備え付けられたショッピングカート、ベビーカー、買い物かご等の運搬補助機器が乗客と一緒に乗降利用されるエレベータにおいては、運搬補助機器がエレベータかご内を占有する割合が大きいため、かご内負荷が満員に至っていなくても、かご内に乗客収容スペースが無い状態となってしまう。この状態で、乗場呼びがあった場合は、かご内に乗客収容スペースが無いにも拘らずかごが応答することになるので、エレベータのサービス効率が悪く、利用者にとっても不便である。
また、従来技術として、かご床下の秤装置からの信号を解析することにより、乗降の種別を判定し、併せて、乗降の種別に対応した制御を行うことが可能なエレベータの制御装置が知られている（例えば、特許文献１参照）。
【０００３】
【特許文献１】特開平５−２０１６３５号公報
【発明の開示】
【発明が解決しようとする課題】
【０００４】
従来のように、ショッピングカート、ベビーカー、買い物かご等の店舗備え付けの運搬補助機器が乗客と一緒に乗降利用されるエレベータでは、運搬補助機器がエレベータかご内を占有する割合が大きいため、かご内負荷が満員に至っていなくても、かご内に乗客収容スペースが無い状態となってしまう。この状態で、乗場呼びがあった場合は、かご内に乗客収容スペースが無いにも拘らずかごが応答することになるので、エレベータのサービス効率が悪く、利用者にとっても不便であるという問題があった。
また、特許文献１記載のものでは、秤装置の特徴的な測定値を用いて利用者を識別し、戸開閉速度制御や、満員検出等に利用しているが、処理が複雑である上に、必ずしも正確にショッピングカート、ベビーカー等の運搬補助機器を検出できるものではなかった。
【０００５】
この発明は、上述のような課題を解決するためになされたもので、ショッピングカート、ベビーカー等の運搬補助機器にＩＣタグを取り付け、その情報を利用して運搬補助機器がかご内を占有する割合を計算することにより、サービス効率の向上と利用者の不便さを解消したエレベータの制御装置を提供するものである。
【課題を解決するための手段】
【０００６】
この発明に係るエレベータの制御装置においては、運搬補助機器毎に取り付けられるＩＣタグと、エレベータかご内に設けられ、かご内に乗り込む際に運搬補助機器に取り付けられたＩＣタグの情報を検出するＩＣタグ検出部と、ＩＣタグ検出部からのＩＣタグ情報により、かご内における運搬補助機器の占有率を計算し、ＩＣタグの割り当てられた占有率の上限を超えた時に乗場呼びをキャンセルするエレベータ制御部とを備えたものである。
【０００７】
また、運搬補助機器毎に取り付けられるＩＣタグと、エレベータかご内に設けられ、かご内に乗り込む際に運搬補助機器に取り付けられたＩＣタグの情報を検出するＩＣタグ検出部と、ＩＣタグ毎の占有率情報を記録保存する記録保存部と、ＩＣタグ検出部からのＩＣタグ情報により、記録保存部のＩＣタグ毎の情報を取得してかご内における運搬補助機器の占有率を計算する計算部と、計算部の計算結果がＩＣタグの割り当てられた占有率の上限を超えた時に乗場呼びをキャンセルするエレベータ制御部とを備えたものである。
【０００８】
また、運搬補助機器毎に取り付けられるＩＣタグと、エレベータかご内に設けられ、かご内に乗り込む際に運搬補助機器に取り付けられたＩＣタグの情報を検出するＩＣタグ検出部と、ＩＣタグ検出部からのＩＣタグ情報により、運搬補助機器の乗車・降車情報を保存する記録保存部と、記録保存部の運搬補助機器の乗車・降車情報により、特定階の運搬補助機器乗り捨て数が予め決められた階床別の運搬補助機器乗り捨て数の上限を超えた時に通信回線により管理センターに通報する通信部とを備えたものである。
【発明の効果】
【０００９】
この発明は、ショッピングカート、ベビーカー等の運搬補助機器にＩＣタグを取り付け、その情報を利用して運搬補助機器がかご内を占有する割合を常に計算し、かご内負荷が満員になっていなくても、予め決めておいた占有率以上になった場合、乗場呼びをキャンセルするようにエレベータを制御することにより、サービス効率の向上と利用者の不便さを解消することができる。
【発明を実施するための最良の形態】
【００１０】
実施の形態１．
図１はこの発明の実施の形態１におけるエレベータの制御装置を示すシステム構成図、図２はこの発明の実施の形態１におけるエレベータの制御装置の動作フローを示すフローチャートである。
【００１１】
この発明は、ショッピングカート、ベビーカー、買い物かご等の店舗備え付けの運搬補助機器が乗客と一緒に乗降利用されるショッピングセンター、デパート等のエレベータに適用されるものである。図１において、１はエレベータかご内の戸袋付近に設置されたＩＣタグ検出部である。このＩＣタグ検出部１は、ＩＣタグが取り付けられたショッピングカート、ベビーカー、買い物かご等の運搬補助機器（図示せず）がかご内に乗り込む際にＩＣタグの情報を検出するものである。２はＩＣタグ検出部１からのＩＣタグ情報により、かご内の占有率を計算する計算部、３はＩＣタグ毎の占有率情報を記録保存している記録保存部である。上記計算部２による占有率の計算には上記記録保存部３に保存されているＩＣタグ毎の占有率情報を利用する。また、記録保存部３には、各階毎の運搬補助機器の乗り降り数、乗り降り時間を計測し随時保存することにより、コンサルタントサービスにも利用できる。この記録保存部３に保存されている「ＩＣタグの割り当てられた占有率」、「乗場呼びキャンセルを行う場合の占有率の上限」、「階床別の運搬補助機器乗り捨て数の上限」、「階床別の運搬補助機器乗り捨て数の上限を超えた場合の通報有無」といった各種の情報は、別に接続するパーソナルコンピュータＰＣにより、設定、変更が可能である。すなわち、ＩＣタグ毎のかご内占有率は、ＰＣを利用して、現場（店舗）毎に設定、変更、微調整することが可能となる。また、予め各階毎に運搬補助機器の乗り捨て数の上限を決めておき、特定階における乗り捨て数の上限を超えた場合、管理センター等に通報する機能を備え、運搬補助機器数の不均等や特定階での不足を防止することができる。４はエレベータ制御部であり、上記計算部２の計算結果により、乗場呼びキャンセルを行う場合の占有率の上限を超えている場合は、そのかごが乗場呼びに非応答とするようにエレベータ５を制御する。６は通信部であり、記録保存部３からの情報により、特定階において運搬補助機器乗り捨て数の上限を超えた場合、通信回線により管理センター等に通報処理を行う。
【００１２】
次に、エレベータの制御装置の動作フローについて、図２を用いて説明する。
先ず、ステップＳ１で、ＩＣタグ検出部１はＩＣタグが取り付けられたショッピングカート、ベビーカー、買い物かご等の運搬補助機器がかご内に乗り込む際にＩＣタグの情報を検出する。そして、ステップＳ２で運搬補助機器の乗車・降車情報を記録保存部３に保存する。ステップＳ３で特定階における運搬補助機器乗り捨て数がその上限を超えたかどうかを判断し、もし超えていればステップＳ４に進み通信回線等により管理センターに通報し、上限を超えた特定階の運搬補助機器を回収し、別の階に再配置することができる。
また、ステップＳ５では、かご内に乗り込む際に検出された運搬補助機器のＩＣタグ情報から記録保存部３よりＩＣタグ毎の占有率情報を取得する。そして、ステップＳ６でかご内における運搬補助機器の占有率を計算する。次に、ステップＳ７で計算部２の計算結果がＩＣタグの割り当てられた占有率の上限を超えたかどうかを判断し、もし超えていればステップＳ８に進み、エレベータ制御部４に対して乗場呼びをキャンセルし、乗場呼び非応答とする処理を行う。
【００１３】
以上説明したようにこの実施の形態１によれば、ショッピングカート、ベビーカー等の運搬補助機器にＩＣタグを取り付け、その情報を利用して運搬補助機器がかご内を占有する割合を常に計算し、かご内負荷が満員になっていなくても、予め決めておいた占有率以上になった場合、乗場呼びをキャンセルするようにエレベータを制御することにより、サービス効率の向上と利用者の不便さを解消することができる。また、各階毎の運搬補助機器の乗り降り数、乗り降り時間を計測し随時保存することにより、コンサルタントサービスにも利用できる。また、予め各階毎に運搬補助機器の乗り捨て数の上限を決めておき、特定階の乗り捨て数がその上限を超えた場合、管理センター等に通報する機能を備え、運搬補助機器数の不均等や特定階での不足を防止することができる。
【図面の簡単な説明】
【００１４】
【図１】この発明の実施の形態１におけるエレベータの制御装置を示すシステム構成図である。
【図２】この発明の実施の形態１におけるエレベータの制御装置の動作フローを示すフローチャートである。
【符号の説明】
【００１５】
１  ＩＣタグ検出部
２  計算部
３  記録保存部
４  エレベータ制御部
５  エレベータ
６  通信部
【図１】
2006199464.tif 000003
【図２】
2006199464.tif 000004